(57)【要約】【課題】  容器の首部先端の注出口部分に切欠き状の注ぎ口を設け、且つ、該首部の内面に形成された環状の段部にフィルム状の密封片を剥離可能に接着させて密封し、該密封片、及び切欠き状注ぎ口を保護する為のキャップが被蓋されているが、単なるキャップの被蓋では、不正開封されていても見つけ出せず、更に、注ぎ難く、良好な液切れをも出来ず、しかも、正確な流量調整も仕難く、液垂れ防止も出来ない。【解決手段】  容器の首部になるその首部と、未成形のチューブ状の容器本体とでなり、該首部に、流量調整できて液垂れしない注出ノズルが付設され、該注出ノズルとの相対位置に空気道切欠き溝又は空気道孔を設け、周壁外面には、先端縁に位置決めアウターリングを、首部根幹部にネックリングを形成し、そして、これら位置決めアウターリングとネックリングとの間に、上方アウターリングと、下方アウターリングとが設けられている流量調整でき、液垂れしない注出ノズル付き容器のプリフォームである。【選択図】図１
2015155328.tif 000002
【特許請求の範囲】
【請求項１】
容器の首部になるその首部と、未成形のチューブ状の容器本体とでなり、該首部に、流量調整できて液垂れしない注出ノズルが付設され、その首部の先端縁の該注出ノズルとの相対位置に空気道切欠き溝を刻設し、首部先端外周縁には位置決めアウターリングを、首部根幹部にはネックリングを形成し、更に、これら間には上方アウターリング、下方アウターリングが形成され、そして、該下方アウターリングと前記ネックリングとでアンダーカット溝部が形成され、キャップ本体と、一部をヒンジ部として残して剥取り出来る剥取帯と、係合部とでなるヒンジキャップが被蓋された際には、該係合部を前記アンダーカット溝部に係合し、剥取帯を剥取り、キャップ本体が開蓋されると、キャップ本体の開閉アウターリングが係合される上方アウターリングを外れ、注出ノズルを顕出するようなキャップ本体の開度で位置決めアウターリングに当接制止されることを特徴とする流量調整でき、液垂れしない注出ノズル付き容器のプリフォーム。
【請求項２】
容器の首部になるその首部と、未成形のチューブ状の容器本体とでなり、該首部に、流量調整できて液垂れしない注出ノズルが付設され、その首部の周壁の該注出ノズルとの相対位置に空気道孔を穿設し、首部先端外周縁には位置決めアウターリングを、首部根幹部にはネックリングを形成し、更に、これら間には上方アウターリング、下方アウターリングが形成され、そして、該下方アウターリングと前記ネックリングとでアンダーカット溝部が形成され、キャップ本体と、一部をヒンジ部として残して剥取り出来る剥取帯と、係合部とでなるヒンジキャップが被蓋された際には、該係合部を前記アンダーカット溝部に係合し、剥取帯を剥取り、キャップ本体が開蓋されると、キャップ本体の開閉アウターリングが係合される上方アウターリングを外れ、注出ノズルを顕出するようなキャップ本体の開度で位置決めアウターリングに当接制止されることを特徴とする流量調整でき、液垂れしない注出ノズル付き容器のプリフォーム。
【請求項３】
容器の首部になるその首部と、未成形のチューブ状の容器本体とでなり、該首部に、頂壁面より垂下する首部内周面とのシールがされるシールリングを備えられたインナーリングが設けられたキャップ本体と、該キャップ本体の下端に一部をヒンジ部として残して剥取り出来る環状の帯体でなる剥取帯と、該剥取帯の下端に形成された係合部とでなるヒンジキャップが被蓋されると、該係合部をアンダーカット溝部に係合し、剥取帯が剥取られて、キャップ本体をヒンジ部で回動させて開蓋されると、シールリングも首部内周面をシール摺動しながらインナーリングが上昇され、それと共に、キャップ本体の側周壁下端内側面に形成された開閉アウターリングが首部の上方アウターリングを外れ、注出ノズルを顕出するようなキャップ本体の開度で位置決めアウターリングに当接して制止され、且つ、空気道切欠き溝又は空気道孔を導通して注出ノズルよりの注出を可能にし、また、キャップ本体の閉蓋の際は、空気道切欠き溝又は空気道孔が前記シールリングによって注出ノズルの注出口を塞がない中には、前記シールリングで閉じられないようにすることを特徴とする請求項１乃至請求項２のいずれか１項記載の流量調整でき、液垂れしない注出ノズル付き容器のプリフォーム
【請求項４】
容器の首部になるその首部と、未成形のチューブ状の容器本体とでなり、該首部に、ヒンジキャップが被蓋されたそのキャップ本体を開蓋する際、キャップ本体の開閉アウターリングが首部の上方アウターリングより外れ易くさせる為に、上方アウターリングの注出ノズル側半分を削いでその高さを低くし、注出ノズルを顕出するようなキャップ本体の開度に位置決めさせる為に、位置決めアウターリングが当接されてキャップ本体の回転を停止させる段差部が形成され、そして、上方アウターリング及び位置決めアウターリングの注出ノズル位置は、液垂れ防止の為に切除くことを特徴とする請求項３記載の流量調整でき、液垂れしない注出ノズル付き容器のプリフォーム
【発明の詳細な説明】
【技術分野】
【０００１】  本発明は、酢、醤油等液体調味料の注出の流量を調整することができ、しかも液垂れしない、そして、ピールプルーフ（いたずら開封防止）機能及びタンパーエビデント（不正開封防止）機能を有する注出ノズル付き容器のプリフォームに関するものである。
【背景技術】
【０００２】  従来の酢、醤油等液体調味料のピールプルーフ機能及びタンパーエビデント機能を有するキャップが、キャップ本体と、該キャップ本体の下端に環状に形成された剥取部と、該剥取部の下端に形成された係合部とを備えられ、容器の首部には、キャップの該係合部が係合されるアンダーカット溝部を形成しているものであった（特許文献１）。【０００３】  そして、酢、醤油等の液体調味料の注出をし易くするため、また、ピールプルーフ機能及びタンパーエビデント機能を持たせるために、容器の首部先端の注出口部分には、切欠き状の注ぎ口を形成し、該首部の内面には、環状の段部を形成し、該環状の段部には、フィルム状の密封片が剥離可能に接着されて密封し、そして、首部の外側周面には、アウターリング及びネックリングを形成し、該アウターリングにキャップのアンダーカット溝部を係合させ、該ネックリングにキャップの側壁下端を係止させている。キャップが首部のアウターリング及びネックリングに係合、係止されることによって閉蓋され、よって、該キャップによって前記密封片を保護し、前記注ぎ口に塵等が付着しないように防止をしている（特許文献２）。【０００４】  尚、上記のような容器を生産し、運搬、貯蔵する場合には、空の容器が空気を運搬、貯蔵するようなことになって不合理である。そこで、それを解消するために、キャップ等が被蓋されるまでに容器の首部だけを成形し、残る他の部分は、容器を必要とするときにブロー成形されて膨らませればよいとしたプリフォームが供されている。そして、運搬、貯蔵するに当って、空気の運搬、貯蔵をしなくてもよいようにしている。
【先行技術文献】
【特許文献】
【０００５】
【特許文献１】  特開２００７−０３０９４５
【特許文献２】  特開平１１−２９２０４９
【発明の概要】
【発明が解決しようとする課題】
【０００６】  従来のピールプルーフ機能及びタンパーエビデント機能を備えた容器は、キャップに剥取帯を設け、該剥取帯が剥取られることによって開蓋するものであって、容器の注出口は、首部に酢、醤油等の液体調味料を注出するようにした単なる注ぎ口であるので、流量の調整が出来なく、まして、液垂れ防止をするものではなかった。
また、このような容器のプリフォームにおいても、同様に、流量の調整が出来なく、液垂れ防止をするものではなかった。【０００７】  そこで、容器の首部先端の注出口部分に切欠き状の注ぎ口を設け、且つ、該首部の内面に形成された環状の段部にはフィルム状の密封片を剥離可能に接着させて密封し、該密封片及び該切欠き状注ぎ口を保護するためのキャップが被蓋されることによって、一応は、ピールプルーフ機能及びタンパーエビデント機能を有するかのようにしたが、単なるキャップの被蓋では、不正開封されていても一見だけでは見つけ出せず、不都合である。
更に、容器の首部先端の注出口部分に切欠き状の注ぎ口を設けただけでは、酢、醤油等の液体調味料を注ぎ難く、良好な液切れをも出来ず、しかも、正確に流量の調整もし難く、液垂れ防止も出来ないものである。
また、このような容器のプリフォームにおいても、その首部が変更されない限りは、同様の効果しか望むことが出来ない。
【課題を解決するための手段】
【０００８】  本発明の流量調整でき、液垂れしない注出ノズル付き容器のプリフォームは、容器の首部になるその首部と、未成形のチューブ状の容器本体とでなり、該首部に、流量調整できて液垂れしない注出ノズルが付設され、その首部の先端縁の該注出ノズルとの相対位置に空気道切欠き溝を刻設し、首部先端外周縁には位置決めアウターリングを、首部根幹部にはネックリングを形成し、更に、これら間には上方アウターリング、下方アウターリングが形成され、そして、該下方アウターリングと前記ネックリングとでアンダーカット溝部が形成され、キャップ本体と、一部をヒンジ部として残して剥取り出来る剥取帯と、係合部とでなるヒンジキャップが被蓋された際には、該係合部を前記アンダーカット溝部に係合し、剥取帯を剥取り、キャップ本体が開蓋されると、キャップ本体の開閉アウターリングが係合される上方アウターリングを外れ、注出ノズルを顕出するようなキャップ本体の開度で位置決めアウターリングに当接制止されるものである。【０００９】  本発明の流量調整でき、液垂れしない注出ノズル付き容器のプリフォームは、容器の首部になるその首部と、未成形のチューブ状の容器本体とでなり、該首部に、流量調整できて液垂れしない注出ノズルが付設され、その首部の周壁の該注出ノズルとの相対位置に空気道孔を穿設し、首部先端外周縁には位置決めアウターリングを、首部根幹部にはネックリングを形成し、更に、これら間には上方アウターリング、下方アウターリングが形成され、そして、該下方アウターリングと前記ネックリングとでアンダーカット溝部が形成され、キャップ本体と、一部をヒンジ部として残して剥取り出来る剥取帯と、係合部とでなるヒンジキャップが被蓋された際には、該係合部を前記アンダーカット溝部に係合し、剥取帯を剥取り、キャップ本体が開蓋されると、キャップ本体の開閉アウターリングが係合される上方アウターリングを外れ、注出ノズルを顕出するようなキャップ本体の開度で位置決めアウターリングに当接制止されるものである。【００１０】  本発明の流量調整でき、液垂れしない注出ノズル付き容器のプリフォームは、容器の首部になるその首部と、未成形のチューブ状の容器本体とでなり、該首部に、頂壁面より垂下する首部内周面とのシールがされるシールリングを備えられたインナーリングが設けられたキャップ本体と、該キャップ本体の下端に一部をヒンジ部として残して剥取り出来る環状の帯体でなる剥取帯と、該剥取帯の下端に形成された係合部とでなるヒンジキャップが被蓋されると、該係合部をアンダーカット溝部に係合し、剥取帯が剥取られて、キャップ本体をヒンジ部で回動させて開蓋されると、シールリングも首部内周面をシール摺動しながらインナーリングが上昇され、それと共に、キャップ本体の側周壁下端内側面に形成された開閉アウターリングが首部の上方アウターリングを外れ、注出ノズルを顕出するようなキャップ本体の開度で位置決めアウターリングに当接して制止され、且つ、空気道切欠き溝又は空気道孔を導通して注出ノズルよりの注出を可能にし、また、キャップ本体の閉蓋の際は、空気道切欠き溝又は空気道孔が前記シールリングによって注出ノズルの注出口を塞がない中には、前記シールリングで閉じられないようにするものである。【００１１】  本発明の流量調整でき、液垂れしない注出ノズル付き容器のプリフォームは、容器の首部になるその首部と、未成形のチューブ状の容器本体とでなり、該首部に、ヒンジキャップが被蓋されたそのキャップ本体を開蓋する際、キャップ本体の開閉アウターリングが首部の上方アウターリングより外れ易くさせる為に、上方アウターリングの注出ノズル側半分を削いでその高さを低くし、注出ノズルを顕出するようなキャップ本体の開度に位置決めさせる為に、位置決めアウターリングは、その注出ノズル側を削いでその高さを低くし、キャップ本体の開閉アウターリングが当接されてキャップ本体の回転を停止させる段差部が形成され、そして、上方アウターリング及び位置決めアウターリングの注出ノズル位置は、液垂れ防止の為に切除くものである。
【発明の効果】
【００１２】  本発明の流量調整でき、液垂れしない注出ノズル付き容器のプリフォームは、注出ノズルが首部に付設されているので、液体調味料の注出の際、該注出ノズルで良好な流量調整をすることが出来、しかも、液垂れしない、且つ、液切れがよい。
そして、流量調整でき、液垂れしない注出ノズルが付設された注出ノズル付き容器のプリフォームは、容器の首部になるその首部と、未成形のチューブ状の容器本体とでなり、そのようなプリフォームを運搬、貯蔵することは、空の容器が空気を運搬、貯蔵するようになって不合理であったのを解消できることになった。更に、キャップ本体と、一部をヒンジ部として残して剥取り出来る環状の帯体でなる剥取帯と、注出ノズル付き容器の首部のアンダーカット溝部に係合する係合部とでなるヒンジキャップが被蓋されるので、注出ノズル付き容器としては困難であったヒンジキャップの被蓋が出来るようになり、注ぎ口に塵等が付着されずに、また、搬送時の注出ノズルが保護されることになり、その上、衛生的である。そして、ヒンジキャップの剥取帯を剥取らない限り、キャップ本体がヒンジ部を介して回動されず、開閉されないので効果的なピールプルーフ機能及びタンパーエビデント機能を齎すことになる。
【図面の簡単な説明】
【００１３】
【図１】  注出ノズル付き容器の首部になるその首部と、未成形のチューブ状の容器本体とでなる、流量調整でき、液垂れしない注出ノズル付き容器のプリフォームの断面図である。
【図２】  流量調整でき、液垂れしない注出ノズル付き容器の空気道切欠き溝を刻設した首部に、ヒンジキャップを被蓋し、剥取帯を剥取った状態の断面図である。
【図３】  流量調整でき、液垂れしない注出ノズル付き容器の空気道切欠き溝を刻設した首部に、ヒンジキャップを被蓋し、注出可能な状態にした断面図である。
【図４】  流量調整でき、液垂れしない注出ノズル付き容器の空気道孔を穿設した首部に、ヒンジキャップを被蓋し、剥取帯を剥取った状態の断面図である。
【図５】  流量調整でき、液垂れしない注出ノズル付き容器の空気道孔を穿設した首部に、ヒンジキャップを被蓋し、注出可能な状態にした断面図である。
【図６】  流量調整でき、液垂れしない注出ノズル付き容器の注出ノズル側より視た首部の側面図である。
【図７】  流量調整でき、液垂れしない注出ノズル付き容器の上面図である。
【図８】  流量調整でき、液垂れしない注出ノズル付き容器に被蓋したヒンジキャップの注出ノズルの注出口がシールされる状態を示す一部断面図である。
【図９】  流量調整でき、液垂れしない注出ノズル付き容器のヒンジキャップの正面図である。
【図１０】  流量調整でき、液垂れしない注出ノズル付き容器のヒンジキャップの裏面図である
【発明を実施するための形態】
【００１４】  本発明の流量調整でき、液垂れしない注出ノズル付き容器のプリフォームは、図１に示す如く、容器の首部になるその首部Ａと、未成形のチューブ状の容器本体Ｃとでなり、該首部に、流量調整できて液垂れしない注出ノズル１が付設され、該注出ノズルとの相対位置に空気道切欠き溝１６又は空気道孔２を設け、周壁外面には、先端縁に位置決めアウターリング３を、首部Ａの根幹部にネックリング４を形成し、そして、これら位置決めアウターリング３とネックリング４との間に、上方アウターリング５と、下方アウターリング６とが設けられる。
【００１５】  本発明の流量調整でき、液垂れしない注出ノズル付き容器のプリフォームは、図２、及び図３に示す如く、容器の首部になるその首部Ａと、未成形のチューブ状の容器本体Ｃとでなり、該首部に、流量調整できて液垂れしない注出ノズル１が付設され、その首部Ａの先端縁の該注出ノズル１との相対位置に空気道切欠き溝１６が刻設される。この首部Ａの周壁外面には、先端縁に、被蓋したヒンジキャップＢのキャップ本体１０の開蓋の際、キャップ本体１０が首部Ａの注出ノズル１の顕出状態で位置決めされる位置決めアウターリング３を形成して、首部Ａ根幹部にネックリング４を形成し、そして、これら位置決めアウターリング３、ネックリング４の間には、キャップ本体１０の閉蓋状態を維持する上方アウターリング５と、前記ネックリング４とでアンダーカット溝部７を形成する下方アウターリング６が設けられる。
【００１６】  本発明の流量調整でき、液垂れしない注出ノズル付き容器のプリフォームは、図４、及び図５に示す如く、容器の首部になるその首部Ａと、未成形のチューブ状の容器本体Ｃとでなり、該首部に、流量調整できて液垂れしない注出ノズル１が付設され、その首部Ａの周壁の注出ノズル１との相対位置に空気道孔２が穿設される。この首部Ａの周壁外面には、先端縁に、被蓋したヒンジキャップＢのキャップ本体１０の開蓋の際、キャップ本体１０が首部Ａの注出ノズル１の顕出状態で位置決めされる位置決めアウターリング３を形成して、首部Ａ根幹部にネックリング４を形成し、そして、これら位置決めアウターリング３、ネックリング４の間には、キャップ本体１０の閉蓋状態を維持する上方アウターリング５と、前記ネックリング４とでアンダーカット溝部７を形成する下方アウターリング６が設けられる。
【００１７】  流量調整でき、液垂れしない注出ノズル付き容器のプリフォームは、頂壁面１１より垂下するシールリング１２を備えたインナーリング１３が設けられたキャップ本体１０と、該キャップ本体の下端に一部をヒンジ部２０として残して剥取り出来る環状の帯体でなる剥取帯３０と、該剥取帯の下端に形成された係合部４０とでなるヒンジキャップＢが被蓋されると、インナーリング１３のシールリング１２で首部Ａの内周面８とをシールしながら該係合部がアンダーカット溝部７に係合される。
剥取帯３０が剥取られて、キャップ本体１０をヒンジ部２０で回動させて開蓋されると、シールリング１２も首部Ａ内周面８をシール摺動しながら上昇され、それと共に、キャップ本体１０の側周壁１４下端内側面に形成された開閉アウターリング１５が首部Ａの上方アウターリング５を外れ、注出ノズル１を顕出するようなキャップ本体１０の開度で位置決めアウターリング３に当接して位置決めされ、且つ、空気道切欠き溝１６又は空気道孔２が導通されて注出ノズル１より注出を可能にする。
また、キャップ本体１０の閉蓋の際は、空気道切欠き溝１６又は空気道孔２が前記シールリングによって注出ノズル１の注出口を塞がない中には、シールリング１２で閉じられないようにする。
【００１８】  流量調整でき、液垂れしない注出ノズル付き容器のプリフォームは、図７に示す如く、ヒンジキャップＢが被蓋されて、キャップ本体１０の開蓋の際、開閉アウターリング１５が首部Ａの上方アウターリング５より外れ易くする為に、上方アウターリング５の注出ノズル１側半分を削いでその高さを低くし、注出ノズル１を顕出するようなキャップ本体１０の開度で位置決めさせる為に、位置決めアウターリング３の注出ノズル１側を削いでその高さを低くし、キャップ本体１０の開閉アウターリング１５と当接してキャップ本体１０の回転を停止させる段差部９が形成される。
【００１９】  注出ノズル付き容器の首部Ａに被蓋するヒンジキャップＢは、図９、図１０に示す如く、キャップ本体１０と、該キャップ本体の下端に一部をヒンジ部２０として残して剥取ることの出来る環状の帯体でなる剥取帯３０と、該剥取帯の下端に形成された係合部４０とでなる。
剥取帯３０の一端に剥取り摘み３１を設け、該剥取り摘みを摘み、剥取ることによって剥取帯３０が剥取られ、その結果、ヒンジ部２０を残すことになって、該ヒンジ部によるキャップ本体１０の回転でヒンジキャップＢの開閉が出来ることになる。
以上のように、キャップ本体１０と剥取帯３０と係合部４０とでなるヒンジキャップＢは、剥取帯３０が剥取られることによってキャップ本体１０の開蓋可能状態になり、この剥取帯３０の剥取り行為過程がピールプルーフ機能及びタンパーエビデント機能を備え得ることになる。
【００２０】  ヒンジキャップＢが首部Ａに被蓋される際には、係合部４０が、図２、図３、図４、及び図５に示す如く、注出ノズル付き容器の首部Ａのネックリング４と下方アウターリング６とでなるアンダーカット溝部７に係合され、破断しない限りは首部Ａより外すことができない。そして、剥取帯３０を剥取らなければキャップ本体１０のヒンジ部２０による開蓋が出来ないことになる。
【００２１】  キャップ本体１０がヒンジ部２０による回動をして開蓋されるに当って、開閉アウターリング１５による首部Ａの上方アウターリング５との係合が外され、該開閉アウターリングが首部Ａの側周壁先端縁の位置決めアウターリング３に当接されて、開閉アウターリング１５は、首部Ａにある注出ノズル１を顕出するキャップ本体１０の開度に位置決めされる。
このキャップ本体１０のヒンジ部２０による回動で、その頂壁面１１に垂下するインナーリング１３も追従して回動し、これに備えられたシールリング１２も首部Ａ内周面８をシール摺動する。
そして、キャップ本体１０のヒンジ部２０による回動の際、インナーリング１３のヒンジ部２０側部分が首部Ａの周壁先端縁で押圧され、その撓みで首部Ａの注出ノズル２側内周面８のシールを向上し、更に、強く押圧されると、シールリング１２のヒンジ部２０側部分に隙間を生じ、空気道切欠き溝１６又は空気道孔２とで首部Ａ内に空気を導通させることになる。
キャップ本体１０の開蓋がされて、首部Ａの内周面８にシールリング１２をシール摺動させて注出ノズル１上方に至らしめたものを、閉蓋する際には、シールリング１２を首部Ａの内周面８にシール摺動させて注出ノズル１位置を越えるまでは、シールリング１２のヒンジ部２０側部分に形成された隙間を塞がないようにし、且つ、塞がないようにした空気道切欠き溝１６又は空気道孔２の位置にすることにある。
【００２２】  注出ノズル付き容器のヒンジキャップＢは、ヒンジ部２０を注出ノズル付き容器の首部Ａの注出ノズル１とは相対位置にあるように位置決めして被蓋され、キャップ本体１０には、図３、及び図５に示す如く、その側周壁１４内面の注出ノズル１の位置する部分に、注出ノズル１の注出口をシールするシール面１４１を隆起し、且つ、該シール面が注出ノズル１の注出口位置に位置する係止がされる突起部１４２を形成する。
【符号の説明】
【００２３】Ａ        首部
Ｂ        ヒンジキャップ
Ｃ        未成形のチューブ状の容器本体
１        注出ノズル
２        空気道孔
３        位置決めアウターリング
４        ネックリング
５        上方アウターリング
６        下方アウターリング
７        アンダーカット溝部
８        内周面
９        段差部
１０      キャップ本体
１１      頂壁面
１２      シールリング
１３      インナーリング
１４      側周壁
１４１    シール面
１４２    突起部
１５      開閉アウターリング
１６      空気道切欠き溝
２０      ヒンジ部
３０      剥取帯
３１      剥取り摘み
４０      係合部
【図１】
2015155328.tif 000003
【図２】
2015155328.tif 000004
【図３】
2015155328.tif 000005
【図４】
2015155328.tif 000006
【図５】
2015155328.tif 000007
【図６】
2015155328.tif 000008
【図７】
2015155328.tif 000009
【図８】
2015155328.tif 000010
【図９】
2015155328.tif 000011
【図１０】
2015155328.tif 000012